(57)【要約】      （修正有）【課題】個人の手の形状に適合する手袋を製造し、しかも、手に装着することができる手袋製造装着装置、手袋製造装着方法及び手袋を提供する。【解決手段】手袋製造装着装置１は、第一の弾性フィルムと第二の弾性フィルムとの間に使用者の手を挟んだ状態で、手の輪郭の外側の位置において、第一の弾性フィルムと第二の弾性フィルムを溶着及び切断する溶着切断手段を有する。【選択図】図１
2018168517.tif 000002
【特許請求の範囲】
【請求項１】
第一の弾性フィルムと第二の弾性フィルムとの間に使用者の手を挟んだ状態で、前記手の輪郭の外側の位置において、前記第一の弾性フィルムと前記第二の弾性フィルムを溶着及び切断する溶着切断手段を有する手袋製造装着装置。
【請求項２】
前記第一の弾性フィルムが配置される第一部材と、
前記第二の弾性フィルムが配置される第二部材と、
を有し、
前記溶着切断手段は、
前記第一の弾性フィルムと前記第二の弾性フィルムとの間に使用者の手を挟んだ状態で、前記手の輪郭の外側の位置である第一外側位置において、前記第一の弾性フィルムと前記第二の弾性フィルムを溶着する溶着手段と、
前記第一外側位置のさらに外側の位置である第二外側位置において、前記第一の弾性フィルムと前記第二の弾性フィルムを切断する切断手段を有し、
前記第一部材には、手の甲側の部分を格納可能な第一の陥没部が形成され、
前記第二部材には、手の平側の部分を格納可能な第二の陥没部が形成され、
前記第一部材と前記第二部材とで前記手を挟んだ状態において、前記手の甲側の面が前記第一の弾性フィルムに接し、前記手の平側の面が前記第二の弾性フィルムに接し、前記手が前記第一の陥没部と前記第二の陥没部とで形成される空間に格納されるように構成されている、
請求項１に記載の手袋製造装着装置。
【請求項３】
前記第一の弾性フィルムの弾性回復力は、前記第二の弾性フィルムの弾性回復力よりも大きく構成されている、
請求項１乃または請求項２のいずれかに記載の手袋製造装着装置。
【請求項４】
前記第一の弾性フィルムは熱収縮性を有し、
前記第一の弾性フィルムに対して加熱した空気を当てるための送風手段を有する、
請求項１乃至請求項３のいずれかに記載の手袋製造装着装置。
【請求項５】
前記第一部材における前記第一の陥没部が形成された部分の外側の部分に、前記第一の弾性フィルムの滑りを防止するための第一の滑り防止手段が配置され、
前記第二部材における前記第二の陥没部が形成された部分の外側の部分に、前記第二の弾性フィルムの滑りを防止するための第二の滑り防止手段が配置されている、
請求項２に記載の手袋製造装着装置。
【請求項６】
前記溶着切断手段による前記第一の弾性フィルムと前記第二の弾性フィルムの溶着及び切断に先立って、前記第一の弾性フィルム及び前記第二の弾性フィルムを延伸させるための延伸手段を有する、
請求項１乃至請求項４のいずれかに記載の手袋製造装着装置。
【請求項７】
前記第一の陥没部及び前記第二の陥没部の形状を使用者の手の形状に合わせて調整するための調整機構を有する、請求項２に記載の手袋製造装着装置。
【請求項８】
前記溶着切断手段が配置される位置と前記第二の陥没部とを隔離する隔離手段が配置されている、請求項２に記載の手袋製造装着装置。
【請求項９】
使用者の手が前記溶着切断手段に接したことによる圧力を検知し、使用者の安全を確保するための第一緊急動作を実施するための第一緊急対応手段を有する、請求項８に記載の手袋製造装着装置。
【請求項１０】
前記第一の陥没部と前記第二の陥没以外の位置において、前記第一部材と前記第二部材との間に使用者の手が挟み込まれたことを検知し、使用者の安全を確保するための第二緊急動作を実施するための第二緊急対応手段を有する、請求項８または請求項９に記載の手袋製造装着装置。
【請求項１１】
前記第一の陥没部及び／または前記第二の陥没部に、使用者の手が正常に格納されていないことを検知し、使用者の安全を確保するための第三緊急動作を実施するための第三緊急対応手段を有する、請求項８乃至請求項１０のいずれかに記載の手袋製造装着装置。
【請求項１２】
手の形状に形成された第一の弾性フィルム及び第二の弾性フィルムを有し、
前記第一の弾性フィルムと前記第二の弾性フィルムとは、使用者の手首に接する部分以外の周縁部において溶着されており、
前記第一の弾性フィルムの弾性回復力は、前記第二の弾性フィルムの弾性回復力よりも大きく構成されている、
手袋
【請求項１３】
前記第一の弾性フィルム及び／または前記第二の弾性フィルムは熱収縮性を有する、
請求項１０に記載の手袋。
【請求項１４】
前記第一の弾性フィルムと前記第二の弾性フィルムとの間に使用者の手を挟んだ状態で、前記手の輪郭の外側の位置において、前記第一の弾性フィルムと前記第二の弾性フィルムを溶着及び切断されて製造された、
請求項１２または請求項１３のいずれかに記載の手袋。
【発明の詳細な説明】
【技術分野】
【０００１】
本発明は手袋製造装着装置及び手袋に関する。
【背景技術】
【０００２】
従来、２枚のプラスチックフィルムを手袋形状に裁断し、外郭線を熱溶着して製造した使い捨て手袋が提案されている（例えば、特許文献１）。
【先行技術文献】
【特許文献】
【０００３】
【特許文献１】特許第３７６３１２３号
【発明の概要】
【発明が解決しようとする課題】
【０００４】
人の手の形状は様々であるから、手袋の形状や着脱の容易さを改善しても、手袋自体の基本形状が個人の手の形状に適合するものにはならない。
【０００５】
本発明は、個人の手の形状に適合する手袋を製造し、しかも、手に装着することができる手袋製造装着装置、手袋製造装着方法及び手袋を提供することを目的とする。
【課題を解決するための手段】
【０００６】
第一の発明は、第一の弾性フィルムと第二の弾性フィルムとの間に使用者の手を挟んだ状態で、前記手の輪郭の外側の位置において、前記第一の弾性フィルムと前記第二の弾性フィルムを溶着及び切断する溶着切断手段を有する手袋製造装着装置である。
【０００７】
第一の発明の構成によれば、第一の弾性フィルムと第二の弾性フィルムとの間に使用者の手を挟んだ状態で、手の輪郭の外側において、第一の弾性フィルムと第二の弾性フィルムが溶着及び切断される。そして、第一の弾性フィルムと第二の弾性フィルムは弾性を有するから、弾性回復力によって、手に密着する。すなわち、個人の手の形状に適合する手袋を製造し、しかも、手に装着することができる。
【０００８】
第二の発明は、第一の発明の構成において、前記第一の弾性フィルムが配置される第一部材と、前記第二の弾性フィルムが配置される第二部材と、を有し、前記溶着切断手段は、前記第一の弾性フィルムと前記第二の弾性フィルムとの間に使用者の手を挟んだ状態で、前記手の輪郭の外側の位置である第一外側位置において、前記第一の弾性フィルムと前記第二の弾性フィルムを溶着する溶着手段と、前記第一外側位置のさらに外側の位置である第二外側位置において、前記第一の弾性フィルムと前記第二の弾性フィルムを切断する切断手段を有し、前記第一部材には、手の甲側の部分を格納可能な第一の陥没部が形成され、前記第二部材には、手の平側の部分を格納可能な第二の陥没部が形成され、前記第一部材と前記第二部材とで前記手を挟んだ状態において、前記手の甲側の面が前記第一の弾性フィルムに接し、前記手の平側の面が前記第二の弾性フィルムに接し、前記手が前記第一の陥没部と前記第二の陥没部とで形成される空間に格納されるように構成されている、手袋製造装着装置である。
【０００９】
第三の発明は、第一の発明または二の発明の構成において、前記第一の弾性フィルムの弾性回復力は、前記第二の弾性フィルムの弾性回復力よりも大きく構成されている、手袋製造装着装置である。
【００１０】
第四の発明は、第一の発明乃至第三の発明のいずれかの構成において、前記第一の弾性フィルムは熱収縮性を有し、前記第一の弾性フィルムに対して加熱した空気を当てるための送風手段を有する、手袋製造装着装置である。
【００１１】
第五の発明は、第二の発明の構成において、前記第一部材における前記第一の陥没部が形成された部分の外側の部分に、前記第一の弾性フィルムの滑りを防止するための第一の滑り防止手段が配置され、前記第二部材における前記第二の陥没部が形成された部分の外側の部分に、前記第二の弾性フィルムの滑りを防止するための第二の滑り防止手段が配置されている、手袋製造装着装置である。
【００１２】
第六の発明は、第一の発明乃至第四の発明のいずれかの構成において、前記溶着切断手段による前記第一の弾性フィルムと前記第二の弾性フィルムの溶着及び切断に先立って、前記第一の弾性フィルム及び前記第二の弾性フィルムを延伸させるための延伸手段を有する、記載の手袋製造装着装置である。
【００１３】
第七の発明は、第二の発明の構成において、前記第一陥没部及び前記第二の陥没部の形状を使用者の手の形状に合わせて調整するための調整機構を有する、手袋製造装着装置である。
【００１４】
第八の発明は、第二の発明の構成において、前記溶着切断手段が配置される位置と前記第二の陥没部とを隔離する隔離手段が配置されている、手袋製造装着装置である。
【００１５】
第九の発明は、第八の発明の構成において、使用者の手が前記溶着切断手段に接したことによる圧力を検知し、使用者の安全を確保するための第一緊急動作を実施するための第一緊急対応手段を有する、手袋製造装着装置である。
【００１６】
第十の発明は、第八の発明または第九の発明の構成において、前記第一の陥没部と前記第二の陥没以外の位置において、前記第一部材と前記第二部材との間に使用者の手が挟み込まれたことを検知し、使用者の安全を確保するための第二緊急動作を実施するための第二緊急対応手段を有する、手袋製造装着装置である。
【００１７】
第十一の発明は、第八の発明乃至第十の発明のいずれかの構成において、前記第一の陥没部及び／または前記第二の陥没部に、使用者の手が正常に格納されていないことを検知し、使用者の安全を確保するための第三緊急動作を実施するための第三緊急対応手段を有する、手袋製造装着装置である。
【００１８】
第十二の発明は、手の形状に形成された第一の弾性フィルム及び第二の弾性フィルムを有し、前記第一の弾性フィルムと前記第二の弾性フィルムとは、使用者の手首に接する部分以外の周縁部において溶着されており、前記第一の弾性フィルムの弾性回復力は、前記第二の弾性フィルムの弾性回復力よりも大きく構成されている、手袋である。
【００１９】
第十三の発明は、第十二の発明の構成において、前記第一の弾性フィルム及び／または前記第二の弾性フィルムは熱収縮性を有する、手袋である。
【００２０】
第十四の発明は、第十二の発明または第十三の発明の構成において、前記第一の弾性フィルムと前記第二の弾性フィルムとの間に使用者の手を挟んだ状態で、前記手の輪郭の外側の位置において、前記第一の弾性フィルムと前記第二の弾性フィルムを溶着及び切断されて製造された、手袋である。
【発明の効果】
【００２１】
本発明によれば、個人の手の形状に適合する手袋を製造し、しかも、手に装着することができる。
【図面の簡単な説明】
【００２２】
【図１】本発明の一実施形態にかかる手袋製造装着装置の概略斜視図である。
【図２】手袋製造装着装置の概略側面図である。
【図３】フィルムホルダーを示す概略図である。
【図４】昇降機構を示す概略図である。
【図５】下側部材の一部を示す概略図である。
【図６】下側部材の一部を示す概略図である。
【図７】下側部材の一部を示す概略拡大図である。
【図８】上側部材の一部を示す概略図である。
【図９】手袋製造装着装置の機能構成を示す概略ブロック図である。
【図１０】手袋製造装着装置の概略斜視図である。
【図１１】手袋製造装着装置の概略斜視図である。
【図１２】手袋製造装着装置の概略斜視図である。
【図１３】手袋製造装着装置の概略斜視図である。
【図１４】手袋製造装着装置の概略斜視図である。
【図１５】手に手袋が密着して装着された状態を示す概略図である。
【図１６】下側部材の一部を示す概略拡大図である。
【図１７】下側部材の一部を示す概略拡大図である。
【図１８】下側部材及び上側部材の一部を示す概略拡大図である。
【図１９】下側部材及び上側部材の一部を示す概略概念図である。
【図２０】下側部材及び上側部材の一部を示す概略概念図である。
【図２１】下側部材及び上側部材の一部を示す概略概念図である。
【図２２】下側部材及び上側部材の一部を示す概略概念図である。
【図２３】下側部材及び上側部材の一部を示す概略概念図である。
【図２４】手袋の形状の変化を示す概略概念図である。
【図２５】手袋の製造装着方法を示すフローチャートである。
【図２６】手袋の製造装着方法を示すフローチャートである。
【図２７】第二の実施形態における手袋の形状の変化を示す概略概念図である。
【図２８】第三の実施形態における手袋製造装着装置の概略斜視図である。
【図２９】上側部材の一部を示す概略図である。
【図３０】上側部材の一部を示す概略概念図である。
【図３１】手袋製造装着装置の機能構成を示す概略ブロック図である。
【図３２】手袋の製造装着方法を示すフローチャートである。
【図３３】第三の実施形態における手袋の形状の変化を示す概略概念図である。
【図３４】第四の実施形態における手袋製造装着装置の概略斜視図である。
【図３５】手袋製造装着装置の概略斜視図である。
【図３６】第五の実施形態における手袋製造装着装置の下側部材の一部を示す概略拡大図である。
【図３７】第六の実施形態における手袋製造装着装置の概略斜視図である。
【図３８】下側部材の一部を示す概略拡大図である。
【図３９】第八の実施形態における下側部材の一部を示す概略拡大図である。
【図４０】切断溶着部を示す概念図である。
【図４１】切断溶着部を示す拡大概略図である。
【図４２】下側部材の一部を示す概略拡大図である。
【図４３】上側部材の一部を示す概略拡大図である。
【図４４】上側部材の一部を示す概略拡大図である。
【図４５】第九の実施形態における下側部材の一部を示す概略拡大図である。
【図４６】下側部材の一部を示す概略拡大図である。
【図４７】下側部材の一部を示す概略拡大図である。
【図４８】切断溶着部を示す拡大概略図である。
【図４９】第十の実施形態における下側部材の一部を示す概略拡大図である。
【図５０】下側部材の一部を示す概略拡大図である。
【図５１】弾性フィルムの溶着状態を示す概略拡大図である。
【図５２】手袋の製造装着方法を示すフローチャートである。
【図５３】第十一の実施形態の手袋製造装着装置の概略斜視図である。
【図５４】弾性フィルムの延伸機構を示す概略斜視図である。
【図５５】手袋の形状の変化を示す概略概念図である。
【図５６】下側部材の一部を示す概略拡大図である。
【図５７】手袋製造装着装置の機能構成を示す概略ブロック図である。
【図５８】第十二の実施形態における手袋製造装着装置の概略斜視図である。
【図５９】第十三の実施形態における手袋製造装着装置の概略斜視図である。
【図６０】手袋製造装着装置の概略斜視図である。
【図６１】第十四の実施形態における手袋製造装着装置の概略斜視図である。
【図６２】第十五の実施形態における手袋製造装着装置の概略斜視図である。
【図６３】弾性フィルム等を示す概略図である。
【図６４】第十六の実施形態における手袋製造装着装置の概略斜視図である。
【図６５】下側部材の一部を示す概略拡大図である。
【図６６】上側部材の一部を示す概略拡大図である。
【図６７】下側部材の一部を示す概略拡大図である
【図６８】上側部材の一部を示す概略拡大図である。
【図６９】手袋製造装着装置の機能構成を示す概略ブロック図である。
【発明を実施するための形態】
【００２３】
以下、図面に基づき本発明の好適な実施形態を説明する。なお、当業者が適宜実施できる構成については説明を省略し、本発明の基本的な構成についてのみ説明する。
【００２４】
＜第一の実施形態＞
手袋製造装着装置１（以下、「装置１」と呼ぶ。）の概要を説明する。図１及び図２に示すように、装置１は、上側部材１０、下側部材３０及び４つの回転柱８０を有する。回転柱８０は、上側部材１０及び下側部材３０の四隅に配置される。上側部材１０及び下側部材３０の外形は、扁平な直方体である。上側部材１０には弾性フィルム１００が配置され、下側部材３０には弾性フィルム１０２が配置される。装置１は手袋製造装着装置の一例であり、上側部材１０は第一部材の一例であり、弾性フィルム１００は第一の弾性フィルムの一例であり、下側部材３０は第二部材の一例であり、弾性フィルム１０２は第二の弾性フィルムの一例である。
【００２５】
弾性フィルム１００及び弾性フィルム１０２は、弾性を有するプラスチックフィルムであり、例えば、低密度ポリエチレンフィルム（ｌｏｗ  ｄｅｎｓｉｔｙ  ｐｏｌｙｅｔｈｅｌｅｎｅ  ｆｉｌｍｓ）、無延伸ポリプロピレンフィルム（ｃａｓｔ  ｐｏｌｙｐｒｏｐｙｌｅｎｅ  ｆｉｌｍｓ）、延伸ポリプロピレンフィルム（ｏｒｉｅｎｔｅｄ  ｐｏｌｙｐｒｏｐｙｌｅｎｅ  ｆｉｌｍｓ）、エチレン酢酸ビニル共重合体フィルム（ｅｔｈｙｌｅｎｅ−ｖｉｎｙｌａｃｅｔａｔｅ  ｃｏｐｏｌｙｍｅｒ  ｆｉｌｍｓ）等である。これらのプラスチックフィルムが単層として、あるいは、複数層として、弾性フィルム１００及び弾性フィルム１０２が形成される。
【００２６】
本明細書において、上側部材１０の方向を上方向、下側部材３０の方向を下方向と呼ぶ。また、上側部材１０の側面１０ｃ及び下側部材３０の側面３０ｃの方向を右方向と呼び、その反対の方向を左方向と呼ぶ。上側部材１０の前面１０ｂ及び下側部材３０の前面３０ｂの方向を手前方向と呼び、その反対の方向を奥手方向と呼ぶ。なお、本実施形態とは異なり、上側部材１０及び下側部材３０の外形は、扁平な直方体に限らず、立方体でもよいし、丸みを帯びた形状でもよい。
【００２７】
図１及び図２に示すように、上側部材１０の奥手方向側の側面にはフィルムホルダー１２が配置されており、下側部材３０の奥手方向側の側面にはフィルムホルダー３２が配置されている。フィルムホルダー１２及びフィルムホルダー３２は、それぞれ、弾性フィルム１００及び弾性フィルム１０２を引き出し可能な状態で保持するための構成である。
【００２８】
図３に示すように、フィルムホルダー１２は、筐体１２ａ及び回転軸１２ｂで構成されている。筐体１２ａには開口部であるフィルム出口１２ｃが形成されている。弾性フィルム１００は、回転軸１２ｂに巻かれた状態で、筐体１２ａに格納されており、フィルム出口１２ｃから外部に引き出すことができるように構成されている。フィルムホルダー３２の構成は、フィルムホルダー１２の構成と同様である。
【００２９】
図８は、上側部材１０を下側部材３０の方向から見た部分概略図である。図８に示すように、上側部材１０において、上面１０ａと反対側の面である下面１０ｄの手前方向側の部分には、フィルム固定部１４が配置されている。同様に、図１に示すように、下側部材３０の上面３０ａの手前方向側の部分には、フィルム固定部３４が配置されている。フィルム固定部１４とフィルム固定部３４は、それぞれ、弾性フィルム１００及び弾性フィルム１０２を固定するための構成である。フィルム固定部１４とフィルム固定部３４は、弾性フィルム１００及び弾性フィルム１０２を固定できる材料で形成されており、例えば、シリコーンゴム（ｓｉｌｉｃｏｎｅ  ｒｕｂｂｅｒ）で形成されている。
【００３０】
図２に示すように、フィルムホルダー１２から引き出された弾性フィルム１００は、ガイド１８を通って、手前方向に引き出され、その端部がフィルム固定部１４（図８参照）に固定される。同様に、フィルムホルダー３２から引き出された弾性フィルム１０２は、ガイド７４を通って、手前方向に引き出され、その端部がフィルム固定部３４（図５参照）に固定される。
【００３１】
図１に示すように、上側部材１０の上面１０ａには、ディスプレイ装置１６が配置されており、装置１の各部の状態を含む所定の文字列を表示するようになっている。下側部材３０の上面３０ａには、異物センサー７２が配置されている。異物センサー７２は、例えば、赤外線センサーであり、赤外線を上側部材１０の下面１０ｄの受信装置（図示せず）に向けて送信し、上側部材１０の受信装置において赤外線の受信状態に異常がある場合には、異常を示す文字列をディスプレイ装置１６に表示するようになっている。
【００３２】
下側部材３０には、電源スイッチ７０が配置されており、装置１全体の起動及び停止を行うことができるように構成されている。
【００３３】
上側部材１０は、下側部材３０に対して、図１の矢印Ｚ１方向（上下方向）に往復移動（昇降）する。図４に、上側部材１０の昇降機構の一例を概念的に示す。図４には、上側部材１０の一部分（一本の回転柱８０の近傍の部分）及び下側部材３０の内部の一部を示す。図４に示すように、上側部材１０には、貫通孔部１１が形成され、貫通孔部１１には、雌螺子が形成されている。下側部材３０にも、貫通孔部（図示せず）が形成されているが、下側部材３０の貫通孔部には、螺子は形成されていない。回転柱８０には雄螺子が形成されており、回転柱８０が回転することによって、上側部材１０が下側部材３０に対して昇降するようになっている。回転柱８０の下方には、歯車８０ａが形成されている。歯車８０ａは、下側部材３０の内部に配置される。歯車８０ａは、下側部材３０の内部に配置された、歯車１３ａ、ベルト１３ｂ等の動力伝達手段を介して、モーター１３ｃに接続されている。モーター１３ｃの回転軸が回転することによって、回転柱８０も回転するように構成されている。モーター１３ｃの回転軸は、正転方向Ｒ１、逆転方向Ｒ２に回転し、回転柱８０も正逆両方向に回転するようになっている。回転柱８０がこのように回転することによって、上側部材１０が昇降する。モーター１３ｃ、動力伝達手段及び回転柱８０は、移動手段（昇降手段）の一例である。
【００３４】
図１に示すように、下側部材３０の上面３０ａには、手の形状の陥没部３６が形成されている。陥没部３６は、右手用と左手用に、それぞれ形成されている。陥没部３６は、上面３０ａにおいて、凹状に陥没している。陥没部３６は、第二の陥没部の一例である。陥没部３６の周囲には、弾性フィルム１００と弾性フィルム１０２を溶着及び切断するための溶着切断部３８が配置されている。
【００３５】
図５に示すように、下側部材３０の陥没部３６は、使用者の手の平と五本の指を格納することができる形状（以下、「手の形状」という。）に形成されている。使用者の手の平が格納される部分を「手の平対応部分」、親指が格納される部分を「親指対応部分」、人差指が格納される部分を「人差指対応部分」、中指が格納される部分を「中指対応部分」、薬指が格納される部分を「薬指対応部分」、小指が格納される部分を「小指対応部分」と呼ぶ。右手が格納される陥没部３６の人差指対応部分の先端近傍部には、操作スイッチ４０が配置されている。操作スイッチ４０によって、モーター１３ｃ（図４参照）への電力供給を制御し、上側部材１０と下側部材３０の相対位置を調整する。具体的には、装置１の使用者は、手を陥没部３６に配置した状態で、操作スイッチ４０を操作して、上側部材１０の下降及び上昇を行う。
【００３６】
左右の陥没部３６において、根本部分３６ａと中指対応部分の先端部３６ｂを結ぶ直線Ｌ１及びＬ２は、下側部材３０の上面３０ａの最も手前方向の部分を画する直線３０Ｌに対して、垂直ではなく、角度θ１だけ傾いている。角度θ１は、例えば、６０度乃至８０度の範囲の角度である。直線Ｌ１及びＬ２が直線３０Ｌに対して角度θ１だけ傾いていることによって、使用者が人間工学的に自然な状態で両手を陥没部３６に配置することができるようになっている。
【００３７】
図６に示すように、陥没部３６の外側に、溶着切断部３８が形成されている。溶着切断部３８は、溶着切断手段の一例である。溶着切断部３８は、溶着用熱線３８ａ、切断用熱線３８ｂ及び溝部３８ｃで構成される。溶着用熱線３８ａは溶着手段の一例であり、切断用熱線３８ｂは切断手段の一例である。手の形状に形成された陥没部３６の外側において、手の形状を取り囲むように溝部３８ｃが形成されている。溝部３８ｃの底部に、溶着用熱線３８ａ及び切断用熱線３８ｂが配置されている。溶着用熱線３８ａは陥没部３６側に配置され、切断用熱線３８ｂは溶着用熱線３８ａの外側に配置されている。図６は、右手３０２（図１１参照）が格納される陥没部３６を示しているが、左手３００（図１１参照）が格納される陥没部３６の構成は、操作スイッチ４０が配置されていない点を除いて、右手３０２が配置される陥没部３６の構成と同様である。
【００３８】
使用者が右手３０２を陥没部３６に配置すると、溶着用熱線３８ａは右手３０２の輪郭の外側（第一外側位置）に位置し、切断用熱線３８ｂはその位置のさらに外側（第二外側位置）に位置する。溝部３８ｃ内の溶着用熱線３８ａが配置される陥没部３６の外側の位置は第一外側位置の一例である。溝部３８ｃ内の切断用熱線３８ｂが配置される溶着用熱線３８ａの外側の位置は第二外側位置の一例である。
【００３９】
溶着用熱線３８ａと切断用熱線３８ｂは、例えば、ニクロム（Ｎｉｃｈｒｏｍｅ）線であり、火傷などの問題を防止するための安全措置が施されている。例えば、酸化マグネシウム（ｍａｇｎｅｓｉｕｍ  ｏｘｉｄｅ）などの絶縁物質で包んでステンレスなどの金属パイプに封入されている。切断用熱線３８ｂは、弾性フィルム１００及び弾性フィルム１０２を切断するために必要十分な温度で発熱し、例えば、摂氏８０度（℃）乃至１５０度（℃）までの温度範囲で発熱する。溶着用熱線３８ａは、弾性フィルム１００と弾性フィルム１０２を溶着するために十分な温度で発熱し、その発熱温度は切断用熱線３８ｂの発熱温度よりも低く、例えば、摂氏６０度（℃）乃至１１０度（℃）までの温度範囲で発熱する。
【００４０】
右手用の陥没部３６において、人差指対応部の先端近傍には、操作スイッチ４０が配置されており、モーター１３ｃ（図４参照）への電力供給を制御して、上側部材１０の昇降移動を操作できるようになっている。
【００４１】
図６に示すように、陥没部３６の外側の奥手方向側の部分には、弾性フィルム１００及び１０２を直線的に切断するための切断用熱線４４が配置されている。切断用熱線４４によって、弾性フィルム１００及び１０２を切断することによって、手袋を製造するために必要十分なだけの弾性フィルム１００及び１０２を使用することができる。
【００４２】
図５に示すように、下側部材３０には接触センサー４２ａが配置され、図８に示すように、上側部材１０には接触感知用部材４２ｂが配置されている。接触センサー４２ａの構成は、接触感知用部材４２ｂの接触を感知できるものであればよいが、例えば、接触センサー４２ａにおいて電気回路が２つの部分に分かれており、接触感知用部材４２ｂに配置された導電部材の接触によって、その２つの部分が接続され、電流が流れる構成としたものである。
【００４３】
次に、図７を参照して、陥没部３６と溶着切断部３８について、詳細に説明する。陥没部３６と溶着切断部３８の構成は、手の形状の輪郭のどの部分においても同様であるが、図６に示す小指対応部の近傍領域Ａ１を一例として説明する。
【００４４】
図７に示すように、陥没部３６の外側の上面３０ａには、弾性フィルム１０２の滑りを防止するための滑り止め部材４６が配置されている。滑り止め部材４６は、弾性フィルム１０２の滑りを防止できる材料で形成されており、例えば、シリコーンゴム（ｓｉｌｉｃｏｎｅ  ｒｕｂｂｅｒ）で形成されている。滑り止め部材４６の位置は、陥没部３６と溝部３８ｃの外側の上面３０ａ上の位置である。言い換えると、溝部３８ｃを陥没部３６と滑り止め部材４６とで挟む位置関係になっている。滑り止め部材４６は、溝部３８ｃを取り囲むように配置されている。滑り止め部材４６は第二の滑り防止手段の一例である。
【００４５】
図８に示すように、上側部材１０の下面１０ｄ側には、手の形状の陥没部２０が形成されている。陥没部２０の外側において、陥没部２０を取り囲むように、突条部２２が形成されている。突条部２２は、上側部材１０と下側部材３０が接近すると、下側部材３０の凹状の溝部３８ｃに入り込むようになっている。陥没部２０は、第一の陥没部の一例である。突条部２２が溝部３８ｃの底部近傍まで入り込むと、溶着用熱線３８ａ及び切断用熱線３８ｂと、突条部２２の先端部分とで、弾性フィルム１００及び弾性フィルム１０２を挟み込み、加圧する状態（以下、「加圧状態」と呼ぶ）になる。加圧状態において、溶着用熱線３８ａによって、弾性フィルム１００と弾性フィルム１０２が溶着される。また、加圧状態において、切断用熱線３８ｂによって、弾性フィルム１００と弾性フィルム１０２が切断される。
【００４６】
図９を参照して、装置１の機能ブロックを説明する。装置１は、ＣＰＵ（Ｃｅｎｔｒａｌ  Ｐｒｏｃｅｓｓｉｎｇ  Ｕｎｉｔ）２００、記憶部２０２、昇降モーター部２０４、溶着熱線部２０６、切断熱線部２０８、温度センサー部２１０、上下部材接触センサー部２１２、タイマー部２１４、異物センサー部２１６及び電源部２３０を有する。
【００４７】
記憶部２０２には、装置１全体の動作を制御するプログラムやデータが格納される。昇降モーター部２０４は、モーター１３ｃ（図４参照）の回転を制御し、回転柱８０の回転、すなわち、上側部材１０の昇降を制御する。溶着熱線部２０６は、溶着用熱線３８ａへの電力供給を制御する。切断熱線部２０８は、切断用熱線３８ｂへの電力供給を制御する。温度センサー部２１０は、溶着用熱線３８ａ及び切断用熱線３８ｂの近傍に配置された温度センサー（図示せず）から温度を示す信号を受信する。上下部材接触センサー部２１２は、下側部材３０に配置された接触センサー４２ａ（図５参照）と上側部材１０に配置された接触感知用部材４２ｂ（図８参照）との接触を示す信号を受信する。タイマー部２１４は、上下部材接触センサー部２１２よって検出された上側部材１０と下側部材３０が接触している状態が継続する時間を計測する。
【００４８】
使用者によって、弾性フィルム１００及び弾性フィルム１０２が、それぞれ、上側部材１０及び下側部材３０に配置され、電源スイッチ７０が押圧されると、装置１は、溶着熱線部２０６及び切断熱線部２０８によって、溶着用熱線３８ａ及び切断用熱線３８ｂへの電力供給を開始する。装置１は、温度センサー部２１０が受信した信号によって、溶着用熱線３８a及び切断用熱線３８ｂによる発熱が弾性フィルム１００及び弾性フィルム１０２の溶着及び切断可能な温度に達したと判断すると、ディスプレイ装置１６に、例えば、「使用可能な温度になりました」という準備完了を示す文字列を表示する。準備完了を示す文字列を視認した使用者によって、弾性フィルム１０２の上から陥没部３６に両手が押し込まれ、操作スイッチ４０が押圧されると、昇降モーター部２０４によって、上側部材１０を下降させる。
【００４９】
装置１は、上下部材接触センサー部２１２によって、上側部材１０と下側部材３０が接触したと判断すると、タイマー部２１４によって時間の計測を開始する。装置１は、上側部材１０と下側部材３０が接触して、所定時間ｔ１が経過すると、昇降モーター部２０４によって、上側部材１０を上昇させる。所定時間ｔ１は、溶着用熱線３８a及び切断用熱線３８ｂによって、弾性フィルム１００及び弾性フィルム１０２を溶着及び切断するために必要十分な時間であり、例えば、２０秒（ｓ）である。
【００５０】
異物センサー部２１６は、異物センサー７２（図１参照）からの信号を受信する。
【００５１】
続いて、図１０乃至図１５を参照して、装置１を使用して手袋を製造及び装着する方法を説明する。装置１の使用者は、まず、図１０に示すように、フィルムホルダー１２から弾性フィルム１００をガイド部１８（図２参照）を通過させて、上側部材１０の下面１０ｄ（下側部材３０に対向する側の面）に沿って手前方向に引き出し、フィルム固定部１４（図８参照）に固定する。そして、フィルムホルダー３２から弾性フィルム１０２をガイド部７４を通過させて、下側部材３０の上面３０ａ（上側部材１０に対向する側の面）に沿って手前方向に引き出し、フィルム固定部３４に固定する。
【００５２】
続いて、使用者は、電源スイッチ７０（図１参照）を押圧し、装置１を起動する。装置１は、溶着用熱線３８a及び切断用熱線３８ｂによる発熱が弾性フィルム１００及び１０２の溶着及び切断が可能な温度に達したと判断すると、例えば、「使用可能な温度になりました」という準備完了を示す文字列をディスプレイ装置１６に表示する。
【００５３】
続いて、使用者は、図１１に示すように、両手を弾性フィルム１０２の上に乗せ、陥没部３６に押し込む。この動作によって、弾性フィルム１０２は、使用者の手における手の平側の形状に変形している。
【００５４】
この状態で、操作スイッチ４０（図６参照）を押すと、図１２に示すように、上側部材１０が下側部材３０に向かって下降する。そして、図１３に示すように、上側部材１０の下面１０ｄが下側部材３０の上面３０ａに接触し、上側部材１０の陥没部２０と下側部材３０の陥没部３６とで形成される空間に手が格納される。すなわち、上側部材１０と下側部材３０とで使用者の手を挟んだ状態において、手の一方の面（手の甲側の面）が弾性フィルム１００に接し、手の他方の面（手の平側の面）が弾性フィルム１０２に接し、使用者の手が陥没部２０と陥没部３６とで形成される空間に格納される。
【００５５】
上側部材１０が弾性フィルム１００と共に下降する過程において、弾性フィルム１００は、使用者の手における手の甲側の形状に変形する。上側部材１０と下側部材３０が接触した状態において、所定時間ｔ１が経過すると、上側部材１０は上昇する（図１４参照）。
所定時間ｔ１が経過した時点で、弾性フィルム１００と弾性フィルム１０２とは、溶着され、かつ、切断されている。弾性フィルム１００及び弾性フィルム１０２が手袋の形状に切断された後は、手袋を構成する部分と手袋を構成しない部分に分かれる。手袋を構成する部分を弾性フィルム１００ａ及び弾性フィルム１０２ａとし、手袋を構成しない部分を不要部分１００ｂ及び１０２ｂとする。
【００５６】
上側部材１０が上昇すると、図１５に示すように、弾性フィルム１００ａ及び弾性フィルム１０２ａは、その弾性回復力によって、使用者の手に密着し、手袋４００が製造され、かつ、右手３０２に装着される。左手３００についても、同様に手袋が製造され、かつ、装着される。
【００５７】
以下、図１６乃至図２３を参照して、弾性フィルム１００及び弾性フィルム１０２が手の形状に変形する過程を詳細に説明する。図１６に示すように、弾性フィルム１０２が下側部材３０に配置されると、弾性フィルム１０２は、滑り止め部材４６に接する。
【００５８】
図１７に示すように、小指３０２ａによって弾性フィルム１０２が陥没部３６に押し入れられると、弾性フィルム１０２において、滑り止め部材４６の左側、すなわち、矢印Ｘ１方向に位置する部分は、小指３０２ａの圧力によって弾性変形する。一方、滑り止め部材４６の右側、すなわち、矢印Ｘ２に示す方向に位置する弾性フィルム１０２の部分は、小指３０２ａが押し入れられたことによる圧力の影響を受けず、変形しない。すなわち、滑り止め部材４６の技術的効果として、滑り止め部材４６の右側の部分は変形せず、左側の部分、すなわち、小指３０２ａ側の部分だけが、小指３０２ａの形状に応じて弾性変形するようになっている。これにより、手袋を製造及び装着する最終工程において、十分な弾性回復力を生じさせることができる。
【００５９】
小指３０２ａが弾性フィルム１０２を陥没部３６に押し入れるときに、他の指及び手の平も同様に、弾性フィルム１０２を陥没部３６に押し入れる。その状態で、使用者が操作スイッチ４０を押圧すると、図１８に示すように、上側部材１０が弾性フィルム１００と共に下降してくる。上側部材１０の下面１０ｄには、陥没部２０を取り囲むように突条部２２が形成されている。突条部２２は、下側部材３０の溝部３８ｃと係合するようになっている。下面１０ｄにおける突条部２２の外側（陥没部２０と反対側）の周囲には、弾性フィルム１００の滑りを防止するための滑り止め部材２４が配置されている。滑り止め部材２４の位置は、陥没部２０と突条部２２の外側の下面１０ｄ上の位置である。言い換えると、突条部２２を陥没部２０と滑り止め部材２４とで挟む位置関係になっている。滑り止め部材２４は、弾性フィルム１００の滑りを防止できる材料で構成されており、例えば、シリコーンゴム（ｓｉｌｉｃｏｎｅ  ｒｕｂｂｅｒ）で形成されている。
【００６０】
以下、上側部材１０が下側部材３０に対して移動する状態を図１９乃至２３の概念図を参照して説明する。図１９等は、弾性フィルム１００及び１０２を引き出す方向と垂直方向の概略断面を観念的に示す図である。図１９の状態は、図１８の状態と同様であり、下側部材３０に配置された弾性フィルム１０２において、滑り止め部材４６から小指３０２ａの方向に位置する部分は、小指３０２ａによる押圧によって弾性変形している。これに対して、上側部材１０に配置された弾性フィルム１００は、変形していない。
【００６１】
図２０に示すように、上側部材１０の突条部２２の先端部が小指３０２ａの上端部の位置よりも低い位置まで下降すると、弾性フィルム１００は、小指３０２ａの存在によって、弾性変形する。弾性フィルム１００においても、滑り止め部材２４を基準として、小指３０２ａの方向に位置する部分のみが弾性変形する。
【００６２】
上側部材１０がさらに下降すると、図２１に示すように、突条部２２は溝部３８ｃに入り込み、弾性フィルム１００及び弾性フィルム１０２を、突条部２２の先端部と溶着用熱線３８ａ及び切断用熱線３８ｂの間に挟み、かつ、押圧する状態（加圧状態）となる。このとき、下側部材３０の接触センサー４２ａと上側部材１０の接触感知用部材４２ｂが接するようになっている。すなわち、接触センサー４２ａによって、加圧状態に至ったか否かを判断できるようになっている。
【００６３】
図２１の状態で所定時間ｔ１が経過すると、図２２に示すように、弾性フィルム１００及び弾性フィルム１０２は、切断用熱線３８ｂによって、切断される。このとき、手袋を形成する弾性フィルム１００ａ及び弾性フィルム１０２ａは、溶着用熱線３８ａによる加熱によって、互いに溶着している。
【００６４】
図２１の状態から所定時間経過すると、図２２の状態になり、図２２の状態になると、図２３に示すように、上側部材１０は上昇する。このとき、溶着用熱線３８ａ及び切断用熱線３８ｂへの電力供給は停止される。上側部材１０が上昇すると、弾性フィルム１００ａ及び１０２ａは、加圧状態から解放され、自由に変形可能な状態になる。加圧状態において、弾性フィルム１００ａ及び弾性フィルム１０２ａには、図２４（ａ）の矢印Ｂ１〜Ｂ４に示すように、弾性回復力が作用している。上側部材１０が上昇すると、加圧状態が解消し、弾性フィルム１００ａ及び弾性フィルム１０２ａは自由に変形可能な状態になるから、弾性回復力によって、図２４（ｂ）に示すように、小指３０２ａに密着するように変形する。
【００６５】
次に、図２５及び図２６のフローチャートを参照して、装置１による手袋の製造装着方法を概括する。使用者は、上側部材１０に弾性フィルム１００を配置し、下側部材３０に弾性フィルム１０２を配置し（図２５のステップＳＴ１）、電源スイッチ７０を押圧して装置１を起動する。続いて、ディスプレイ装置１６の表示によって溶着用熱線３８ａ及び切断用熱線３８ｂによる加熱の準備が完了したことを確認すると、両手を弾性フィルム１０２の上側から下側部材３０の二つの陥没部３６にそれぞれ配置する（ステップＳＴ２）。そうすると、下側の弾性フィルム１０２は変形する（ステップＳＴ３）。
【００６６】
続いて、使用者によって、操作スイッチ４０が押圧されると、装置１は、上側部材１０を下降させる（ステップＳＴ４）。ステップＳＴ４は移動ステップの一例である。上側部材１０が下降すると、上側部材１０に配置された弾性フィルム１００が手の甲側に接触し（ステップＳＴ５）、変形する（ステップＳＴ６）。続いて、上側部材１０と下側部材３０が接触し（ステップＳＴ７）、突条部２２と溶着用熱線３８ａ及び切断用熱線３８ｂによって、弾性フィルム１００及び１０２が加圧されつつ加熱される（ステップＳＴ８）。ステップＳＴ８は、溶着切断ステップの一例である。
【００６７】
装置１は、溶着及び切断に必要十分な所定時間ｔ１が経過したと判断すると（ステップＳＴ９）、上側部材１０を上昇させる（ステップＳＴ１０）。所定時間ｔ１が経過した段階で、弾性フィルム１００及び１０２は手の形状の輪郭形状に溶着され、かつ、切断されている。
【００６８】
続いて、使用者が、下側部材３０から手を外すと、弾性フィルム１００及び１０２が収縮し（ステップＳＴ１１）、手に密着し（ステップＳＴ１２）、手袋が製造され、かつ、装着される（ステップＳＴ１３）。
【００６９】
＜第二の実施形態＞
図２７を使用して、第二の実施形態を説明する。なお、第一の実施形態と共通する事項については、説明を省略する。第二の実施形態においては、装置１の構成は第一の実施形態と同様であるが、弾性フィルム１００の弾性回復力が、弾性フィルム１０２の弾性回復力よりも大きい。このため、弾性フィルム１００及び１０２の溶着及び切断工程が完了した直後において、図２７（ａ）に示すように、弾性フィルム１００ａには相対的に大きな弾性回復力Ｂ１＋及びＢ２＋が作用しており、弾性フィルム１０２ａには相対的に小さな弾性回復力Ｂ３及びＢ４が作用している。
【００７０】
弾性フィルム１００ａ及び１０２ａが加圧状態から解放されて、自由に変形できる状態になると、図２７（ｂ）に示すように、弾性フィルム１００ａ及び１０２ａは小指３０２ａに密着するように変形するのであるが、弾性フィルム１００ａの弾性回復力は弾性フィルム１０２ａの弾性回復力よりも大きいため、弾性フィルム１００ａと１０２ａの接続部Ｓは、小指３０２ａにおいて上側、すなわち、指の背側（指において爪が存在する側）に移動する。手による作業は、ほとんどが、指の腹側（指において指紋が存在する側）が物に接触することによって実施されるのであるが、接続部Ｓが指の背側に移動することによって、接続部Ｓが指の腹側によって行う作業の障害となることを防止することができる。
【００７１】
さらに、弾性フィルム１００ａと弾性フィルム１０２ａとの間の弾性回復力の相違によって、弾性フィルム１００ａと弾性フィルム１０２ａとの溶着部Ｓ１は、図２７（ｂ）に示すように、弾性フィルム１００ａ側、すなわち、小指３０２ａの背側に湾曲する。これにより、溶着部Ｓ１の存在が、使用者の小指３０２ａの腹側で実施される作業の障害になることを一層効果的に防止することができる。上述のように製造された手袋について説明すると、手の形状に形成された弾性フィルム１００ａ及び弾性フィルム１０２ａを有し、弾性フィルム１００ａと弾性フィルム１０２ａとは、使用者の手首に接する部分以外の周縁部において溶着されており、弾性フィルム１００ａの弾性回復力は、弾性フィルム１０２ａの弾性回復力よりも大きく構成されている。
【００７２】
＜第三の実施形態＞
図２８乃至図３３を参照して、第三の実施形態を説明する。なお、第一の実施形態と共通する事項については、説明を省略する。図２８に示すように、装置１Ａの上側部材１０には、外部の空気を上側部材１０内に取り込むための空気吸入口２６が配置されている。上側部材１０の下面１０ｄを下側部材３０の方向から見ると、図２９に示すように、陥没部２０内に、送風装置２７及び網状の発熱部材２８が配置されている。
【００７３】
発熱部材２８は、例えば、ニクロム線で構成される。送風装置２７は、複数の羽根を有するファンがモーターの回転軸に接続された構造である。図３０は、空気吸入口２６、送風装置２７及び発熱部材２８の位置関係を示す概略図である。図３０に示すように、送風装置２７の羽根が回転すると、空気吸入口２６を介して矢印Ｙ１に示すように外部から空気が取り入れられ、発熱中の発熱部材２８を通過して加熱されて温度の高い空気となり、矢印Ｙ２に示すように、下方向に送られる。装置１Ａにおいて、弾性フィルム１００は、熱収縮性を有するフィルム（以下、「熱収縮性フィルム」と呼ぶ。）が使用される。熱収縮性フィルムの材料は、例えば、ポリ塩化ビニル（ｐｏｌｙｖｉｎｙｌ  ｃｈｏｌｏｒｉｄｅ）、ポリスチレン、ポリエチレンテレフタレート、ポリエチレン、ポリプロピレン、ポリオレフィンである。弾性フィルム１００は、これらの材料で形成した単層、あるいは、他の弾性フィルムを組み合わせた複層で形成される。他の弾性フィルムは、例えば、低密度ポリエチレンフィルム（ｌｏｗ  ｄｅｎｓｉｔｙ  ｐｏｌｙｅｔｈｅｌｅｎｅ  ｆｉｌｍｓ）、無延伸ポリプロピレンフィルム（ｃａｓｔ  ｐｏｌｙｐｒｏｐｙｌｅｎｅ  ｆｉｌｍｓ）、延伸ポリプロピレンフィルム（ｏｒｉｅｎｔｅｄ  ｐｏｌｙｐｒｏｐｙｌｅｎｅ  ｆｉｌｍｓ）、エチレン酢酸ビニル共重合体フィルム（ｅｔｈｙｌｅｎｅ−ｖｉｎｙｌａｃｅｔａｔｅ  ｃｏｐｏｌｙｍｅｒ  ｆｉｌｍｓ）等である。弾性フィルム１００と弾性フィルム１０２との溶着性を確保するように、双方の弾性フィルムの材料の選択や多層構造に構成するなどの調整が行われる。
【００７４】
図３１に示すように、装置１Ａは、送風モーター部２１８及び空気加熱部２２０を有する。送風モーター部２１８は、送風装置２７のモーターの回転を制御する。空気加熱部２２０は、発熱部材２８への電力供給を制御する。
【００７５】
次に、図３２を参照して、装置１Ａによる手袋の製造装着方法を説明する。弾性フィルム１００及び弾性フィルム１０２の溶着及び切断工程までは、第一の実施形態と同様であるから説明を省略する。弾性フィルム１００及び弾性フィルム１０２の溶着及び切断が完了すると、装置１Ａは、上側部材１０を上昇させ、弾性フィルム１００に対して、加熱した空気を送風する（図３２のステップＳＴ１０１）。弾性フィルム１００は熱収縮性フィルムであるから、熱収縮する（ステップＳＴ１０２）。そうすると、弾性フィルム１００と弾性フィルム１０２の接続部Ｓが上方へ移動しつつ（ステップＳＴ１０３）、弾性フィルム１００と弾性フィルム１０２が手に密着し（ステップＳＴ１２）、手袋が完成する（ステップＳＴ１３）。
【００７６】
弾性フィルム１００及び１０２の溶着・切断工程が完了した直後において、図３３（ａ）に示すように、弾性フィルム１００ａには弾性回復力Ｂ１及びＢ２が作用しており、弾性フィルム１０２ａには弾性回復力Ｂ３及びＢ４が作用している。
【００７７】
上側部材１０が上昇した段階で、弾性フィルム１００ａに加熱された空気が当てられると、弾性フィルム１００ａには、収縮力Ｂ１α及びＢ２αも作用する。そうすると、図３３（ｂ）に示すように、弾性フィルム１００ａ及び１０２ａは小指３０２ａに密着するように変形するのであるが、弾性フィルム１００ａには弾性回復力Ｂ１及びＢ２のほかに収縮力Ｂ１α及びＢ２αが作用するため、弾性フィルム１００ａと１０２ａの接続部は、小指３０２ａにおいて上側、すなわち、指の背側に移動する。手による作業は、ほとんどが、指の腹側が物に接触することによって実施するのであるが、接続部Ｓが指の背側に移動することによって、接続部Ｓが指の腹側によって行う作業の障害となることを防止することができる。
【００７８】
さらに、弾性フィルム１００ａが熱収縮性を有することによって、弾性フィルム１００ａと弾性フィルム１０２ａとの溶着部Ｓ１は、図３３（ｂ）に示すように、弾性フィルム１００ａ側、すなわち、小指３０２ａの背側に湾曲する。これにより、溶着部Ｓ１の存在が、使用者の小指３０２ａの腹側で実施される作業の障害になることを一層効果的に防止することができる。上述のように製造された手袋について説明すると、熱収縮性を弾性フィルム１００ａによって製造されるのであるが、本実施形態とは異なり、弾性フィルム１００ａと弾性フィルム１０２ａの双方が熱収縮性を有するものとして構成してもよい。さらに、本実施形態とは異なり、手袋製造時には使用者の手を装置１Ａに配置せずに、手袋の形状を実際の使用者の手の形状よりも大きく形成して製造しておいて、使用者が実際に手袋を使用する際に、手袋を装着した状態で熱収縮性を有する弾性フィルムに加熱した空気を当てることによって、使用者の手に密着させる構成としてもよい。
【００７９】
＜第四の実施形態＞
図３４及び図３５を参照して、第四の実施形態を説明する。なお、第一の実施形態と共通する事項については、説明を省略する。第四の実施形態においては、図３４及び図３５に示すように、フィルムホルダー１２及びフィルムホルダー３２は、それぞれ、上側部材１０の側面１０ｃ及び下側部材３０の側面３０ｃに配置されている。そして、弾性フィルム１００及び弾性フィルム１０２は、右から左へ向かう方向（矢印Ｃ１方向）に引き出され、それぞれ、上側部材１０の面１０ｄ及び下側部材３０の面３０ａ上に配置される。
【００８０】
＜第五の実施形態＞
図３６を参照して、第五の実施形態を説明する。なお、第一の実施形態と共通する事項については、説明を省略する。
【００８１】
第五の実施形態においては、陥没部３６が根本部分３６Ａと指先部分３６Ｂで構成され、溶着切断部３８が根本溶着切断部３８Ａ及び指先溶着切断３８Ｂで構成される。根本部分３６Ａと根本溶着切断部３８Ａは一体に構成され、指先部分３６Ｂと指先溶着切断部３８Ｂは一体に構成されている。図３６（ａ）及び（ｂ）に示すように、陥没部３６の指先部分３６Ｂが根本部分３６Ａに対して、矢印Ｄ１方向に移動可能になっている。すなわち、個人の指の長さに応じて、根本部分３６Ａと指先部分３６Ｂで構成される指部分の長さが調整可能になっている。指先部分３６Ｂの先端の外側部には、バネ３６Ｃが配置されており、根本部分３８Ａと指先部分３６Ｂの長さが最低限の状態になるように付勢している。
【００８２】
なお、上側部材の陥没部２０も、下側部材３６の陥没部３６の形状と整合するように、形状の調整が可能になっている。
【００８３】
＜第六の実施形態＞
図３７及び図３８を参照して、第六の実施形態を説明する。なお、第三の実施形態と共通する事項については、説明を省略する。第六の実施形態の装置１Ｃにおいては、陥没部３６に、操作スイッチ４０及び操作スイッチ４１が配置されている。使用者の右手が配置される陥没部３６において、人差指対応部に、上側部材１０を昇降させるための操作スイッチ４０が配置されている。陥没部３６において、中指対応部に、送風装置２７及び発熱部材２８を制御するための操作スイッチ４１が配置されている。
【００８４】
装置１Ｃは、加圧状態に達して所定時間ｔ１が経過すると、ディスプレイ装置１６に、例えば、「溶着切断が完了しましたので、送風を実施して下さい」という、加熱した空気を弾性フィルム１００ａに当てる操作を指示する文字列を表示する。使用者は、その文字列を視認して、操作スイッチ４１を押圧し、送風装置２７及び発熱部材２８を稼働させる。
【００８５】
＜第七の実施形態＞
第七の実施形態を説明する。なお、第一の実施形態と共通する事項については、説明を省略する。第七の実施形態においては、装置１は、電源スイッチ７０が押圧された後、温度センサー部２１０が受信した信号によって、溶着用熱線３８ａによる発熱が溶着準備温度Ｐｍ１、切断用熱線３８ｂによる発熱が切断準備温度Ｐｃ１に達したと判断すると、ディスプレイ装置１６に、例えば、「使用可能な温度になりました」という準備完了を示す文字列を表示する。溶着準備温度Ｐｍ１は、弾性フィルム１００と弾性フィルム１０２とを溶着可能な温度である溶着温度Ｐｍ２よりも低い温度であり、例えば、溶着温度Ｐｍ２の５０％の温度である。切断準備温度Ｐｃ１は、弾性フィルム１００と弾性フィルム１０２とを切断可能な温度である切断温度Ｐｃ２よりも低い温度であり、例えば、切断温度Ｐｃ２の５０％の温度である。
【００８６】
使用者によって操作スイッチ４０が押圧され、上側部材１０が下降し、上下部材接触センサー部２１２が、接触センサー４２ａ（図５参照）と上側部材１０に配置された接触感知用部材４２ｂ（図８参照）との接触を示す信号を受信すると、装置１は、溶着用熱線３８ａの発熱温度を溶着温度Ｐｍ２まで上昇させ、切断用熱線３８ｂの発熱温度を切断温度Ｐｃ２まで上昇させる。タイマー部２１４は、溶着温度Ｐｍ２及び切断温度Ｐｃ２に達した後の経過時間を計測する。経過時間が所定時間ｔ１を経過すると、装置１は、上側部材１０を上昇させる。
【００８７】
＜第八の実施形態＞
図３９乃至図４４を参照して、第八の実施形態を説明する。なお、第一の実施形態と共通する事項については、説明を省略する。
【００８８】
図３９に示すように、溶着切断部３８は、左側部３８Ｌ、右側部３８Ｒ及び先端部３８Ｃで構成される。左側部３８Ｌ、右側部３８Ｒ及び先端部３８Ｃの間の空間が陥没部３６である。先端部３８Ｃは、左側部３８Ｌと右側部３８Ｒとの間を摺動し、矢印Ｅ１及びＥ２方向に移動可能に構成されている。これにより、陥没部３６の形状を使用者の手の形状に合わせて調整し、装置１の使用者の実際の指の長さに合った手袋を製造装着することができる。溶着切断部３８は、調整機構の一例である。
【００８９】
図４０に示すように、左側部３８Ｌ及び右側部３８Ｒの溶着用熱線３８ａは、先端部３８Ｃの溶着用熱線３８ａと移動接続部３８ａｓにおいて接続される。移動接続部３８ａｓは、例えば、先端部３８Ｃ側の溶着用熱線３８ａの先端部が円周形状に形成されたものである。移動接続部３８ａｓの円周部の内側に左側部３８Ｌ及び右側部３８Ｒの溶着用熱線３８ａを通すようになっている。
【００９０】
左側部３８Ｌ及び右側部３８Ｒの切断用熱線３８ｂは、先端部３８Ｃの切断用熱線３８ｂと移動接続部３８ｂｓにおいて接続される。移動接続部３８ｂｓは、例えば、先端部３８Ｃ側の切断用熱線３８ｂの先端部が円周形状に形成されたものである。移動接続部３８ｂｓの円周部の内側に左側部３８Ｌ及び右側部３８Ｒの切断用熱線３８ｂを通すようになっている。
【００９１】
図４１（ａ）に示すように、左側部３８Ｌと先端部３８Ｃとの接触部近傍において、溶着用熱線３８ａと切断用熱線３８ｂは交差する。右側部３８Ｒと先端部３８Ｃとの接触部近傍においても同様である。溶着用熱線３８ａは、電熱線（例えば、ニクロム線）３８ａｎ及び金属パイプ３８ａｐで構成される。切断用熱線３８ｂは、電熱線３８ｂｎ及び金属パイプ３８ｂｐで構成される。
【００９２】
図４１（ｂ）に示すように、切断用熱線３８ｂの金属パイプ３８ｂｐには、凹部３８ｂｐｓが形成されている。溶着用熱線３８ａが凹部３８ｂｐｓを通るようにすることで、溶着用熱線３８ａと切断用熱線３８ｂは交差する位置において、その他の位置との高さの相違を低減することができる。
【００９３】
図４１（ｃ）に示すように、金属パイプ３８ｂｐの凹部３８ｂｐｓを大きくすることで、溶着用熱線３８ａと切断用熱線３８ｂは交差する位置において、その他の位置との高さの相違を一層低減することができる。
【００９４】
図４２（ａ）は、装置１（図１参照）の陥没部３６及び溶着切断部３８を手前方向から視た概略断面図である。陥没部３６と溝部３８ｃの間に壁部３８１が位置し、指が配置される陥没部３６と溶着用熱線３８ａ及び切断用熱線３８ｂが配置される溝部３８ｃを隔離している。
【００９５】
図４２（ｂ）は、図４２（ａ）の壁部３８１及び陥没部３６を示す概略斜視図である。図４２（ｃ）は、図４２（ａ）の壁部３８１を矢印Ｑ１方向（右方向）から視た概略図である。壁部３８１には、複数の凹部３８１ａが連続的に形成されており、溶着用熱線３８ａ及び切断用熱線３８ｂが、いずれかの凹部３８１ａに固定されるようになっている。例えば、矢印Ｓ１に示すように、溶着用熱線３８ａ及び切断用熱線３８ｂは、位置Ｐ１から位置Ｐ３に移動して固定される。これにより、先端部３８Ｃが左側部３８Ｌ及び右側部３８Ｒの間を矢印Ｅ１方向及び矢印Ｅ２方向に摺動したときに、溶着用熱線３８ａ及び切断用熱線３８ｂも追随して移動し、相応の位置に固定することが可能になっている。
【００９６】
図４３は、上側部材１０の下面１０ｄに形成される陥没部２０の周囲に形成される突条部２２等を示す概略図である。突条部２２は、左側突条部２２Ｌ、右側突条部２２Ｒ及び先端突条部２２Ｃで構成される。左側突条部２２Ｌは下面１０ｄの一部である基部２３Ｌと一体に形成され、右側突条部２２Ｒは下面１０ｄの一部である基部２３Ｒと一体に形成され、先端突条部２２Ｃは基部２３Ｃと一体に形成されている。基部２３Ｃと一体に形成された先端突条部２２Ｃは、左側突条部２２Ｌと右側突条部２２Ｒとの間を摺動し、矢印Ｅ１及びＥ２方向に移動可能に構成されている。溶着切断部３８の先端部３８Ｃの移動と整合するように、先端突条部２２Ｃを移動させることができるように構成されている。
【００９７】
図４４（ａ）に示すように、基部２３Ｌ及び基部２３Ｒには、凹部２３Ｓが形成されている。基部２３Ｃには、突部２３Ｃａが形成されている。凹部２３Ｓと突部２３Ｃａは、全長（紙面手前方向から奥手方向に向かう方向の長さ）にわたって形成されている。図４４（ｂ）に示すように、凹部２３Ｓに突部２３Ｃａが係合することによって、基部２３Ｃと一体に形成された先端突条部２２Ｃは、左側突条部２２Ｌ及び右側突条部２２Ｒとの間に、紙面手間方向から奥手方向（図４３の矢印Ｅ１方向）及び紙面奥手方向から手前方向（図４３の矢印Ｅ２方向）に移動可能な状態で固定される。
【００９８】
＜第九の実施形態＞
図４５乃至図４８を参照して、第九の実施形態を説明する。なお、第一の実施形態と共通する事項については、説明を省略する。
【００９９】
図４５に示すように、溶着切断部３８は、第一部３８Ｔ１、第二部３８Ｔ２及び第三部３８Ｔ３で構成される。第一部３８Ｔ１、第二部３８Ｔ２及び第三部３８Ｔ３は、取り外し可能である。例えば、指の長さが標準よりも長い場合には、図４５に示すように、第一部３８Ｔ１、第二部３８Ｔ２及び第三部３８Ｔ３のすべてを使用する。指の長さが標準の場合には、図４６（ａ）に示すように、第一部３８Ｔ１及び第二部３８Ｔ２を使用する。指の長さが標準よりも短い場合には、図４６（ｂ）に示すように、第一部３８Ｔ１のみを使用する。第一部３８Ｔ１、第二部３８Ｔ２及び第三部３８Ｔ３の組合せを調整することによって、装置１の使用者の実際の指の長さに合った手袋を製造装着することができる。
【０１００】
図４７（ａ）は、装置１の下側部材３０の上面３０ａの一部を上方向から視た概略図である。図４７（ｂ）は、装置１の図４７（ａ）に示す部分を手前方向から視た概略図である。図４７（ａ）及び図４７（ｂ）に示すように、装置１の上面３０ａには、第二陥没部３１が形成されている。第二陥没部３１に、第一部３８Ｔ１、第二部３８Ｔ２及び第三部３８Ｔ３が配置されるようになっている。
【０１０１】
図４８（ａ）に示すように、切断用熱線３８ｂは、電熱線３８ｂｎ及び金属パイプ３８ｂｐから構成される。図４８（ａ）において左側にある切断用熱線３８ｂの先端部３８ｂｐｍは、例えば、第一部３８Ｔ１の端部である。図４８（ａ）において右側にある切断用熱線３８ｂの先端拡径部３８ｂｐｆは、例えば、第二部３８Ｔ２の端部であり、第一部３８Ｔ１の端部と接続する部分である。
【０１０２】
図４８（ｂ）に示すように、先端部３８ｂｐｍが拡径部３８ｂｐｆと係合することによって、双方の切断用熱線３８ｂは、物理的かつ電気的に接続される。溶着用熱線３８ａの接続のための構成も同様である。
【０１０３】
＜第十の実施形態＞
図４９乃至図５２を参照して、第十の実施形態を説明する。なお、第一の実施形態と共通する事項については、説明を省略する。
【０１０４】
図４９及び図５０に示すように、装置１の溶着切断部３８の溝部３８ｃには、溶着切断用熱線３８ｄが配置されている。溶着切断用熱線３８ｄによって、弾性フィルム１００と弾性フィルム１０２の溶着と切断の双方を実施するように構成されている。
【０１０５】
図５１（ａ）は、第一の実施形態における手袋を構成する弾性フィルム１００ａと弾性フィルム１０２ａの一部を示す概略図である。第一の実施形態の装置１によって製造される手袋は、切断部１００ｃ及び１０２ｃと乖離した位置に溶着部ＭＰ１が形成される。これに対して、図５１（ｂ）に示すように、第十の実施形態においては、切断部１００ｃ及び１０２ｃと連続した位置、あるいは、近接した位置に溶着部ＭＰ２が形成される。
【０１０６】
次に、図５２を参照して、本実施形態の装置１による手袋の製造装着方法を概括する。使用者は、上側部材１０に弾性フィルム１００を配置し、下側部材３０に弾性フィルム１０２を配置し（図５２のステップＳＴ１）、電源スイッチ７０を押圧して装置１を起動する。続いて、ディスプレイ装置１６の表示によって溶着切断用熱線３８ｄによる加熱の準備が完了したことを確認すると、両手を弾性フィルム１０２の上側から下側部材３０の二つの陥没部３６にそれぞれ配置する（ステップＳＴ２）。そうすると、下側の弾性フィルム１０２は変形する（ステップＳＴ３）。
【０１０７】
続いて、使用者によって、操作スイッチ４０が押圧されると、装置１は、上側部材１０を下降させる（ステップＳＴ４）。上側部材１０が下降すると、上側部材１０に配置された弾性フィルム１００が手の甲側に接触し（ステップＳＴ５）、変形する（ステップＳＴ６）。続いて、上側部材１０と下側部材３０が接触し（ステップＳＴ７）、突条部２２と溶着切断用熱線３８ｄによって、弾性フィルム１００及び１０２が加圧されつつ加熱される（ステップＳＴ８Ａ）。ステップＳＴ８Ａは、溶着切断ステップの一例である。
【０１０８】
装置１は、溶着及び切断に必要十分な所定時間ｔ１が経過したと判断すると（ステップＳＴ９）、上側部材１０を上昇させる（ステップＳＴ１０）。所定時間ｔ１が経過した段階で、弾性フィルム１００及び１０２は手の形状の輪郭形状に溶着され、かつ、切断されている。ステップＳＴ１０以降は、第一の実施形態と同様であるから、説明を省略する。
【０１０９】
＜第十一の実施形態＞
図５３乃至図５７を参照して、第十一の実施形態を説明する。なお、第一の実施形態と共通する事項については、説明を省略する。
【０１１０】
図５３に示すように、装置１Ｄにおいて、下側部材３０の上面３０ａの左右両端近傍部には、それぞれ、細長い矩形の溝部３０ｄ（以下、「傾斜溝部３０ｄ」という。）が形成されている。傾斜溝部３０ｄには、突条部材３５が配置されている。上側部材１０の下面１０ｄにも、同様に、傾斜溝部１０ｅ及び突条部材２５（図５４参照）が配置されている。
【０１１１】
図５４は、下側部材３０の傾斜溝部３０ｄ及び突条部材３５、及び、上側部材１０の傾斜溝部１０ｅ及び突条部材２５を手前方向から視た概略断面図である。
【０１１２】
図５４（ａ）に示すように、左側の傾斜溝部３０ｄは、上面３０ａから下方に垂直に向かう方向に対して、左方向に傾斜しており、右側の傾斜溝部３０ｄは、上面３０ａから下方に垂直に向かう方向に対して、右方向に傾斜している。すなわち、左右の傾斜溝部３０ｄは、それぞれ、外側に向かって傾斜している。
【０１１３】
突条部材３５は、滑り止め部３５ａ、直立部３５ｂ及び傾斜部３５ｃから構成される。滑り止め部３５ａは、弾性フィルム１０２を固定できる材料で形成されており、例えば、シリコーンゴム（ｓｉｌｉｃｏｎｅ  ｒｕｂｂｅｒ）で形成されている。直立部３５ｂは、上面３０ａに対して、略垂直に配置される。傾斜部３５ｃは、傾斜溝部３０ｄ内において、傾斜溝部３０ｄの傾斜方向に摺動する。傾斜部３５ｃは、傾斜溝部３０ｄの底部に配置されたバネ部材３０ｅによって、傾斜溝部３０ｄの外側に向かう方向、すなわち、傾斜溝部３０ｄから押し出される方向に付勢されている。
【０１１４】
左側の傾斜溝部１０ｅは、下面１０ｄから上方に垂直に向かう方向に対して、左方向に傾斜しており、右側の傾斜溝部１０ｅは、下面１０ｄから上方に垂直に向かう方向に対して、右方向に傾斜している。すなわち、左右の傾斜溝部１０ｅは、それぞれ、外側に向かって傾斜している。
【０１１５】
突条部材２５は、滑り止め部２５ａ、直立部２５ｂ及び傾斜部２５ｃから構成される。滑り止め部２５ａは、弾性フィルム１００を固定できる材料で形成されており、例えば、シリコーンゴム（ｓｉｌｉｃｏｎｅ  ｒｕｂｂｅｒ）で形成されている。直立部２５ｂは、下面１０ｄに対して、略垂直に配置される。傾斜部２５ｃは、傾斜溝部１０ｅ内において、傾斜溝部１０ｅの傾斜方向に摺動する。傾斜部２５ｃは、傾斜溝部１０ｅの底部に配置されたバネ部材１０ｆによって、傾斜溝部１０ｅの外側に向かう方向、すなわち、傾斜溝部１０ｅから押し出される方向に付勢されている。
【０１１６】
図５４（ａ）は、上側部材１０が下側部材３０に向かって下降し、突条部材３５と突条部材２５の間に弾性フィルム１００と弾性フィルム１０２を挟み込んで固定する瞬間を示している。このとき、突条部材３５の直立部３５ｂ及び突条部材２５の直立部２５ｂは、Ｐ１の位置にある。この状態で上側部材１０が、矢印Ｚ２方向に下降すると、傾斜部３５ｃ及び傾斜部２５ｃが、それぞれ、傾斜溝部３０ｄ及び傾斜溝部１０ｅの底部の方向へ移動する。そうすると、左側の直立部３５ｂ及び２５ｂは矢印Ｘ１方向へ移動し、右側の直立部３５ｂ及び２５ｂは矢印Ｘ２方向へ移動し、図５４（ｂ）に示すように、突条部材３５の直立部３５ｂ及び突条部材２５の直立部２５ｂは、Ｐ２の位置に移動する。
【０１１７】
弾性フィルム１００及び弾性フィルム１０２は、滑り止め部３５ａ及び滑り止め部２５ａによって挟み込まれた状態で、矢印Ｘ１方向及び矢印Ｘ２方向に引っ張られ、延伸する。手袋が完成した後に、この延伸（以下、「第一延伸」という。）による収縮力も作用して、手袋と使用者の手との密着度が向上する。傾斜溝部３０ｄ及び突条部材３５、傾斜溝部１０ｅ及び突条部材２５は、延伸手段の一例である。
【０１１８】
図５５（ａ）に示すように、手袋が製造された直後には、弾性フィルム１００ａ及び１０２ａが小指３０２ａによって延伸されたことによる収縮力Ｂ１乃至Ｂ４に加えて、上述の第一延伸による収縮力Ｃ１乃至Ｃ４も作用する。これにより、上側部材１０が上昇した後は、図５５（ｂ）に示すように、弾性フィルム１００ａ及び１０２ａは、小指３０２ａに密着する。
【０１１９】
図５６に示すように、装置１Ｄの溝部３８ｃには、耐熱性繊維で生成された耐熱性マット３８ｆが配置されている。耐熱性繊維は、例えば、ポリイミド繊維である。溶着用熱線３８ａ及び切断用熱線３８ｂは、耐熱性マット３８ｆ上に配置されている。
【０１２０】
耐熱性マット３８ｆには、圧力センサー３９が埋め込まれている。ここで、下側部材３０の接触センサー４２ａ（図５参照）と上側部材１０の接触感知用部材４２ｂ（図８参照）が接触した状態を「接触状態」という。装置１Ｄは、接触状態以外において、溶着用熱線３８ａ及び切断用熱線３８ｂに使用者の手や指が接触した場合には、その圧力を感知し、異常が生じたと判断することができる。圧力センサー３９が、接触状態以外において、使用者の手や指が接触したことを感知した場合には、使用者の安全を確保するための第一緊急動作を実施する。第一緊急動作は、例えば、溶着用熱線３８ａ及び切断用熱線３８ｂへの通電を停止する、ディスプレイ装置１６へ警告を表示する、スピーカー（図示せず）で警告音を発生させる、上側部材１０を上昇させるなどの動作である。
【０１２１】
なお、使用者の手や指が配置される部分と溶着用熱線３８ａ及び切断用熱線３８ｂとが配置される部分は、陥没部３６と溝部３８ｃとの間の壁部３８１（図５６参照）によって隔離されているから、本来、使用者の手や指が溶着用熱線３８ａ及び切断用熱線３８ｂと接触することはない。このため、上述の圧力センサー３９は、安全をより確実にするための構成である。壁部３８１は、隔離手段の一例である。
【０１２２】
図５７に示すように、装置１Ｄは、圧力センサー部２２２を有する。圧力センサー部２２２は、圧力センサー３９からの出力（圧力値）を受信する。
【０１２３】
記憶部２０２には、第一緊急対応プログラムが格納されている。ＣＰＵ２００と緊急対応プログラムは、第一緊急対応手段の一例である。装置１Ｄは、緊急対応プログラムによって、接触状態以外において、圧力センサー部２２２によって圧力値を受信すると、装置１Ｄの各部を制御し、上述の第一緊急動作を実施させる。
【０１２４】
また、図５７に示すように、装置１Ｄは、挟み込み検知部２２４を有する。挟み込み検知部２２４は、モーター１３ｃ（図４参照）に流れる電流値（以下、「負荷電流値」という。）を検知している。
【０１２５】
記憶部２０２には、第二緊急対応プログラムが格納されている。ＣＰＵ２００と第二緊急対応プログラムは、第二緊急対応手段の一例である。記憶部２０２には、以下の負荷電流値が記憶されている。第一に、上側部材１０が抵抗なく下降するときのモーター１３ｃの負荷電流値ｉ１である。第二に、突条部材３５及び突条部材２５によって弾性フィルム１００及び弾性フィルム１０２を挟み込みながら上側部材１０が下降する状態と、弾性フィルム１００が使用者の手に接して変形しながら上側部材１０が下降する状態とが同時に生じているときの負荷電流値ｉ２である。第三に、上側部材１０と下側部材３０が接触したときの負荷電流値ｉｆである。負荷電流値ｉ２は負荷電流値ｉ１よりも大きく、負荷電流値ｉｆは負荷電流値ｉ２よりも大きいという関係にある。すなわち、ｉ１＜ｉ２＜ｉｆである。
【０１２６】
装置１Ｄは、下側部材３０の接触センサー４２ａ（図５参照）と上側部材１０の接触感知用部材４２ｂ（図８参照）が接触した状態（接触状態）において、負荷電流値がｉｆになるのは正常であると判断する。装置１Ｄは、接触状態以外において、モーター１３ｃの負荷電流値がｉ２よりも大きくなった場合には、異常があると判断し、第二緊急動作を実施する。接触状態以外において、モーター１３ｃの負荷電流値がｉ２よりも大きくなる場合には、使用者の手や指が下側部材３０と上側部材１０の間に挟みこまれている可能性があるからである。第二緊急動作は、例えば、溶着用熱線３８ａ及び切断用熱線３８ｂへの通電を停止する、ディスプレイ装置１６へ表示する、スピーカー（図示せず）で警告音を発生させる、上側部材１０を上昇させるなどの動作である。なお、使用者の手や指の挟み込みの検知の方法は、本実施態様の方法に限らず、例えば、接触センサーを使用するなどの方法を利用してもよい。
【０１２７】
また、使用者自身においても、緊急事態において、操作スイッチ４０を押圧することによって、下降中の上側部材１０を上昇させることができる。
【０１２８】
＜第十二の実施形態＞
図５８を参照して、第十二の実施形態を説明する。なお、第十一の実施形態と共通する事項については、説明を省略する。
【０１２９】
図５８に示すように、第十二の実施形態の装置１Ｅにおいては、下側部材３０の左右両端近傍部に加えて、手前側及び奥手側にも傾斜溝部３０ｄ及び突条部材３５が配置されている。同様に、上側部材１０にも、傾斜溝部１０ｅ及び突条部材２５が、左右両端近傍部に加えて、手前側及び奥手側にも配置されている。これにより、第一延伸が、矢印Ｘ１方向及び矢印Ｘ２方向に加えて、これと直交する方向である矢印Ｙ１方向及び矢印Ｙ２方向にも行われる。これにより、手袋を構成する弾性フィルム１００ａ及び１０２ａと使用者の手の密着度がより一層大きくなる。
【０１３０】
＜第十三の実施形態＞
図５９及び図６０を参照して、第十三の実施形態を説明する。なお、第一の実施形態と共通する事項については、説明を省略する。
【０１３１】
第十三の実施形態の装置１Ｆと、第一の実施形態の装置１との相違は、上側部材１０の昇降機構である。図５９及び図６０に示すように、下側部材３０の側面３０ｃには、溝３０ｆが形成されており、上側部材１０の側面１０ｃには、溝１０ｇが形成されている。溝３０ｆ及び溝１０ｇには、伸縮部材８１の端部が移動可能な形態で接続されている。伸縮部材８１は、パンタグラフ型の部材であり、細長い矩形状の板状部材８１ａ及び８１ｂで構成され、板状部材８１ａと板状部材８１ｂは、中心軸部８１ｃで、互いに回動可能に固定されている。
【０１３２】
板状部材８１ａの端部８１ａａと板状部材８１ｂの端部８１ｂａが、図５９の状態から矢印Ｗ２方向へ移動すると、端部８１ａｂ及び端部８１ｂｂも矢印Ｗ２方向へ移動し、上側部材１０が上昇し、図６０に示す状態になる。そして、図６０の状態において、板状部材８１ａの端部８１ａａと板状部材８１ｂの端部８１ｂａが、矢印Ｗ１方向へ移動すると、端部８１ａｂ及び端部８１ｂｂが矢印Ｗ１方向へ移動し、上側部材１０が下降し、図５９に示す状態になる。板状部材８１ａの端部８１ａａと板状部材８１ｂの端部８１ｂａを矢印Ｗ１方向及びＷ２方向に移動させるための駆動機構は、下側部材３０の内部に配置されている。
【０１３３】
＜第十四の実施形態＞
図６１を参照して、第十四の実施形態を説明する。なお、第一の実施形態と共通する事項については、図示及び説明を省略する。
【０１３４】
第十四の実施形態の装置１Ｇが、第一の実施形態の装置１と異なる点は、第一の実施形態の上側部材１０及び下側部材３０に代えて、同様の機能を有する構成として、左側部材５１Ｌ及び右側部材５１Ｒが配置されている点である。
【０１３５】
左側部材５１Ｌ及び右側部材５１Ｒは、基板部材５０の上面５０ａに、矢印Ｘ１方向及び矢印Ｘ２方向に移動可能な態様で、配置されている。上面５０ａの手前側及び奥手側には、左右方向に細長く、基板部材５０の内部まで貫通する矩形状の孔部５０ｂ及び孔部５０ｃが形成されている。左側部材５１Ｌ及び右側部材５１Ｒの下面には、孔部５０ｂ及び孔部５０ｃと摺動可能に係合するための突部（図示せず）が形成されており、基板部材５０の内部には、突部を矢印Ｘ１方向及び矢印Ｘ２方向に移動させるための駆動機構が配置されている。
【０１３６】
左側部材の内側面５１Ｌｂには、陥没部３６Ｌが形成されている。同様に、右側部材の内側面５１Ｒｂにも手の形状の陥没部（図示せず）が形成されている。
【０１３７】
右側部材５１Ｒの外側面５１Ｒａには、回動部材５２が配置されている。回動部材５２は、軸部５２ｂを中心に、棒状部５２ａが回転するようになっている。同様に、左側部材５１Ｌの外側面５１Ｌａにも、回動部材５２が配置されている。
【０１３８】
右側部材５１Ｒの回動部材５２を矢印Ｕ１方向に回転させると、右側部材５１Ｒを矢印Ｘ１方向に移動させるように、基板部材５０の内部の駆動機構が作動するようになっている。右側部材５１Ｒの回動部材５２を矢印Ｕ２方向に回転させると、右側部材５１Ｒを矢印Ｘ２方向に移動させるように、基板部材５０の内部の駆動機構が作動するようになっている。左側部材５１Ｌについても同様である。
【０１３９】
使用者は、例えば、左側部材５１Ｌのフィルムホルダー５３から弾性フィルム１００を引き出して内側面５１Ｌｂに固定し、右側部材５１Ｒのフィルムホルダー５３から弾性フィルム１０２を引き出して内側面５１Ｒｂに固定し、左手の甲側を左側部材５１Ｌの陥没部３６Ｌに配置する。この状態で、右手で右側部材５１Ｒの回動部材５２を矢印Ｕ１方向に回転させることによって、弾性フィルム１００と弾性フィルム１０２の間に左手が挟まれる。この状態で、弾性フィルム１００及び弾性フィルム１０２の溶着及び切断を行うことによって、手袋が左手に製造及び装着される。
【０１４０】
そして、使用者は、左側部材５１Ｌのフィルムホルダー５３から弾性フィルム１００を引き出して内側面５１Ｌｂに固定し、右側部材５１Ｒのフィルムホルダー５３から弾性フィルム１０２を引き出して内側面５１Ｒｂに固定し、右手の甲側を右側部材５１Ｒの陥没部に配置する。この状態で、左手で左側部材５１Ｌの回動部材５２を矢印Ｕ１方向に回転させることによって、弾性フィルム１００と弾性フィルム１０２の間に右手が挟まれる。この状態で、弾性フィルム１００及び弾性フィルム１０２の溶着及び切断を行うことによって、手袋が右手に製造及び装着される。
【０１４１】
上述のように、装置１Ｇにおいては、左側部材５１Ｌ及び右側部材５１Ｒにおいて、手の形状の陥没部が、それぞれ、１か所で足りる。
【０１４２】
＜第十五の実施形態＞
図６２及び図６３を参照して、第十五の実施形態を説明する。なお、第一の実施形態と共通する事項については、図示及び説明を省略する。
【０１４３】
第一の実施形態の装置１においては、下側部材３０に対して上側部材１０が昇降するが、
第十五の実施形態の装置１Ｈにおいては、下側部材６０に対して、上側部材７６は、軸７６ａを中心に、矢印Ｕ１及び矢印Ｕ２に示す方向に回動する。すなわち、装置１Ｈにおいては、下側部材６０に対して上側部材７６が本を閉じたり開いたりするのと同様の態様で移動する。
【０１４４】
下側部材６０の上面６０ａには、手の形状の陥没部６２Ｌ及び６２Ｒが形成されている。同様に、上側部材７６にも陥没部（図示せず）が形成されている。下側部材６０の手前側の側面６０ｂには、細長い矩形状であり、下側部材６０の内部にまで貫通する孔部６０ｃが形成されている。孔部６０ｃには、細長い矩形の板状部材６８の一方の端部６８ａが矢印Ｘ１方向及び矢印Ｘ２方向に移動可能な状態で接続されている。板状部材６８の他方の端部６０ｂは、上側部材７６の手前側の側面７６ｂに回転可能な状態で接続されている。側面６０ｂ及び側面７６ｂと反対側の側面も、同様の構造である。
【０１４５】
図６２に示すように、板状部材６８が直立した状態においては、上側部材７６は下側部材６０に対して開いている。これに対して、板状部材６８の端部６８ａが孔部６０ｃを矢印Ｘ１方向に移動し、板状部材６８が傾くと、上側部材７６は下側部材６０に向かって、矢印Ｕ１方向に回動する。上側部材は、所定重量を有しており、板状部材６８が傾くと、緩やかに矢印Ｕ１方向に回動するように構成されている。所定重量は、例えば、５キログラム（ｋｇ）である。板状部材６８は、陥没部６２Ｒ内に配置されたスイッチ６４が押圧されると、矢印Ｘ２方向に移動するように構成されている。
【０１４６】
下側部材６０において、手の形状の陥没部６２Ｌ及び６２Ｒの指先側の部分には、細長い矩形状の溝部６０ｄが形成されており、溝部６０ｄ内に、フィルムホルダー６６が配置されている。図６３（ａ）に示すように、フィルムホルダー６６には、弾性フィルム２５０が巻かれて格納されている。
【０１４７】
図６３（ａ）に示すように、弾性フィルム２５０は、所定の長さで容易に切断できるように、点線状の切断部分２５２が形成されている。図６３（ｂ）に示すように、弾性フィルム２５０は、上側フィルム２５０ａ及び下側フィルム２５０ｂで構成される。上側フィルム２５０ａと下側フィルム２５０ｂとの間には隙間２５０ｃが形成されるようになっており、使用者は隙間２５０ｃに手を差し入れることによって、上側フィルム２５０ａと下側フィルム２５０ｂとの間に手を入れた状態にすることができる。すなわち、これにより、上側フィルム２５０ａと下側フィルム２５０ｂとの間に手が挟まれた状態になる。
【０１４８】
装置１Ｈで、手袋を製造装着するためには、図６２に示すように、上側部材７６を開いた状態で、フィルムホルダー６６から弾性フィルム２５０を引き出し、上側フィルム２５０ａと下側フィルム２５０ｂとの間に手を差し入れた状態で、左右の手を、それぞれ、陥没部６２Ｌ及び陥没部６２Ｒに配置する。そしてスイッチ６４を押圧すると、上側部材７６がゆっくりと矢印Ｕ１方向に移動する。上側部材７６が閉じると、溶着切断部（図示せず）による溶着及び切断が実施され、手袋が製造及び装着される。手袋の製造及び装着が完了すると、使用者は、両手を持ち上げるようにすれば、上側部材７６は矢印Ｕ２方向に回動し、開くようになっている。
【０１４９】
＜第十六の実施形態＞
図６４乃至図６９を参照して、第十六の実施形態を説明する。なお、第一の実施形態と共通する事項については、図示及び説明を省略する。
【０１５０】
図６４に示すように、第十六の実施形態の装置１Ｉは、陥没部３６の手の形状の外周に沿って、上側部材１０から下側部材３０に対して、赤外線Ｇが照射されるようになっている。
【０１５１】
図６５に示すように、下側部材３０には、陥没部３６の手の形状において、各指部分の指先、各指部分の長さ方向における中間地点近傍の両側、２つの指部分の間の付け根部分等に赤外線受光器９２が配置されている。すなわち、赤外線受光器９２は、使用者の手や指が陥没部３６からはみ出した場合に、使用者の手や指によって少なくとも一部が覆われる位置に配置されている。赤外線受光器９２は、例えば、フォトダイオードやフォトトランジスタなどのフォトセンサーで構成される。なお、図６４においては、赤外線受光器９２は、一部のみを記載している。
【０１５２】
図６６に示すように、上側部材１０には、陥没部２０の手の形状において、各指部分の指先、各指部分の長さ方向における中間地点近傍の両側、２つの指部分の間の付け根部分等に赤外線投光器９０が配置されている。赤外線投光器９０は、例えば、赤外線発光ダイオードや赤外線レーザーダイオードで構成される。
【０１５３】
上側部材１０に配置された各赤外線投光器９０から照射された赤外線が、下側部材３０の対応する位置に配置された赤外線受光器９２に受信される。赤外線投光器９０及び赤外線受光器９２は、はみ出し検知手段の一例である。
【０１５４】
図６７（ａ）に示すように、赤外線受光器９２は、溝部３８ｃと陥没部３６とを隔離する壁部３８１の上面３８１ａに配置されている。
【０１５５】
図６７（ｂ）は、図６７（ａ）の赤外線受光器９２近傍領域Ａを手前方向から視た概略断面図である。図６７（ｂ）に示すように、上面３８１ａには、凹部３８１ａａが形成されている。凹部３８１ａａ内に、赤外線受光器９２が配置されている。
【０１５６】
図６８に示すように、赤外線投光器９０は、上側部材１０の下面１０ｄであって、陥没部２０と突条部２２との間の面１０ｄｅに配置されている。面１０ｄｅには、凹部が（図示せず）が形成されており、その凹部内に赤外線投光器９０が配置されている。
【０１５７】
上述のように、赤外線受光器９２及び赤外線投光器９０が凹部内に配置されていることによって、下側部材３０の面３８１ａと上側部材１０の面１０ｄｅとの接触に干渉しないようになっている。
【０１５８】
図６４に示すように、上側部材１０に配置された複数の赤外線投光機９０と下側部材３０に配置された複数の赤外線受光器９２は、一つの赤外線投光器９０から送信された赤外線Ｇが、対応する位置にある一つの赤外線受光器９２に受信されるようになっている。なお、本実施形態とは異なり、一つの赤外線投光器９０から送信された赤外線Ｇを複数の赤外線受光器９２で受信する構成としてもよい。
【０１５９】
使用者の手が、陥没部３６からはみ出した場合には、そのはみ出した手によって赤外線Ｇが一部または全部が遮断されるから、少なくとも一つの赤外線受光器９２が受信する赤外線Ｇの状況に異常を生じる。これにより、装置１Ｉは、使用者の手が陥没部３６からはみ出していることを検知し、例えば、上側部材１０の下降を開始しない、あるいは、上側部材１０の下降を停止するなどの制御を行う。
【０１６０】
図６９に示すように、装置１Ｉは、はみ出し検知部２２６を有する。はみ出し検知部２２６によって、各赤外線受光器９２が、対応する赤外線投光器９０から受信する赤外線Ｇの受信態様を検知する。
【０１６１】
記憶部２０２には、第三緊急対応プログラムが格納されている。ＣＰＵ２００と第三緊急対応プログラムは、第三緊急対応手段の一例である。装置１Ｉは、はみ出し検知部２２６によって、いずれかの赤外線受光器９２による赤外線Ｇの受信態様に異常が生じたことを検知すると、第三緊急動作を実施する。第三緊急動作は、例えば、溶着用熱線３８ａ及び切断用熱線３８ｂへの通電を停止する、あるいは、通電を実施しない、ディスプレイ装置１６へ警告を表示する、スピーカー（図示せず）で警告音を発生させる、上側部材１０を上昇させるなどの動作である。
【０１６２】
なお、本発明の手袋製造装着装置は、上記実施形態に限らず、本発明の要旨を逸脱しない範囲内において種々変更を加えることができる。例えば、第三の実施形態において、弾性フィルム１００と弾性フィルム１０２の双方を熱収縮性フィルムで形成してもよい。そして、弾性フィルム１００の弾性回復力を弾性フィルム１０２の弾性回復力よりも大きくする、あるいは、弾性フィルム１００の熱収縮率を弾性フィルム１０２の熱収縮率よりも大きく形成することによって、接続部Ｓが指の背側に移動する効果を得ることができる。
【符号の説明】
【０１６３】
１，１Ａ，１Ｂ，１Ｃ，１Ｄ，１Ｅ，１Ｆ，１Ｇ，１Ｈ，１Ｉ  手袋製造装着装置
１０，７６  上側部材
１０ｅ，３０ｄ  傾斜溝部
１０ｆ，３０ｅ  バネ部材
１０ｇ，３０ｆ  溝
１２，３２，５３，６６  フィルムホルダー
１４  フィルム固定部
１６  ディスプレイ装置
１８，７４  ガイド
２０，３６  陥没部
２２  突条部
２４，４６  滑り止め部材
２５，３５  突条部材
２６  空気吸入口
２８  発熱部材
３０，６０  下側部材
３１  第二陥没部
３４  フィルム固定部
３８  溶着切断部
３８ａ  溶着用熱線
３８ｂ  切断用熱線
３８ｃ  溝部
３８ｄ  溶着切断用熱線
３８ｆ  耐熱性マット
３９  圧力センサー
４０  操作スイッチ
４２ａ  接触センサー
４２ｂ  接触感知用部材
４４  切断用熱線４４
５０  基板部材
５１Ｌ  左側部材
５１Ｒ  右側部材
５２  回動部材
５３  フィルムホルダー
６２Ｌ，６２Ｒ  陥没部
６４  スイッチ
６６  フィルムホルダー
６８  板状部材
７０  電源スイッチ
７２  異物センサー
８０  回転柱
８１  伸縮部材
９０  赤外線投光器
９２  赤外線受光器
１００，１０２，２５０  弾性フィルム
３００  左手
３０２  右手
３８１  壁部
４００  手袋
【図１】
2018168517.tif 000003
【図２】
2018168517.tif 000004
【図３】
2018168517.tif 000005
【図４】
2018168517.tif 000006
【図５】
2018168517.tif 000007
【図６】
2018168517.tif 000008
【図７】
2018168517.tif 000009
【図８】
2018168517.tif 000010
【図９】
2018168517.tif 000011
【図１０】
2018168517.tif 000012
【図１１】
2018168517.tif 000013
【図１２】
2018168517.tif 000014
【図１３】
2018168517.tif 000015
【図１４】
2018168517.tif 000016
【図１５】
2018168517.tif 000017
【図１６】
2018168517.tif 000018
【図１７】
2018168517.tif 000019
【図１８】
2018168517.tif 000020
【図１９】
2018168517.tif 000021
【図２０】
2018168517.tif 000022
【図２１】
2018168517.tif 000023
【図２２】
2018168517.tif 000024
【図２３】
2018168517.tif 000025
【図２４】
2018168517.tif 000026
【図２５】
2018168517.tif 000027
【図２６】
2018168517.tif 000028
【図２７】
2018168517.tif 000029
【図２８】
2018168517.tif 000030
【図２９】
2018168517.tif 000031
【図３０】
2018168517.tif 000032
【図３１】
2018168517.tif 000033
【図３２】
2018168517.tif 000034
【図３３】
2018168517.tif 000035
【図３４】
2018168517.tif 000036
【図３５】
2018168517.tif 000037
【図３６】
2018168517.tif 000038
【図３７】
2018168517.tif 000039
【図３８】
2018168517.tif 000040
【図３９】
2018168517.tif 000041
【図４０】
2018168517.tif 000042
【図４１】
2018168517.tif 000043
【図４２】
2018168517.tif 000044
【図４３】
2018168517.tif 000045
【図４４】
2018168517.tif 000046
【図４５】
2018168517.tif 000047
【図４６】
2018168517.tif 000048
【図４７】
2018168517.tif 000049
【図４８】
2018168517.tif 000050
【図４９】
2018168517.tif 000051
【図５０】
2018168517.tif 000052
【図５１】
2018168517.tif 000053
【図５２】
2018168517.tif 000054
【図５３】
2018168517.tif 000055
【図５４】
2018168517.tif 000056
【図５５】
2018168517.tif 000057
【図５６】
2018168517.tif 000058
【図５７】
2018168517.tif 000059
【図５８】
2018168517.tif 000060
【図５９】
2018168517.tif 000061
【図６０】
2018168517.tif 000062
【図６１】
2018168517.tif 000063
【図６２】
2018168517.tif 000064
【図６３】
2018168517.tif 000065
【図６４】
2018168517.tif 000066
【図６５】
2018168517.tif 000067
【図６６】
2018168517.tif 000068
【図６７】
2018168517.tif 000069
【図６８】
2018168517.tif 000070
【図６９】
2018168517.tif 000071